(57)【特許請求の範囲】
【請求項１】
地上波ディジタル放送を受信して映像及び／又は音声を出力する放送受信手段と、電波を送受信することにより通話を行う携帯通話手段と、を備えた携帯型視聴装置において、前記地上波ディジタル放送におけるガードインターバルを前記携帯通話手段へ通知する手段を備え、前記携帯通話手段は前記通知に基づいてガードインターバル中に位置登録処理を実行するように構成されたことを特徴とする携帯型視聴装置。
【請求項２】
請求項１に記載の携帯型視聴装置において、前記携帯通話手段は位置登録処理を行っているときに、そのことを前記放送受信手段に通知するように構成されたことを特徴とする携帯型視聴装置。
【請求項３】
請求項１又は請求項２に記載の携帯型視聴装置において、位置登録処理の所要時間がガードインターバルよりも長いこととなる場合、位置登録処理を複数のガードインターバルに渡って行うように構成されたことを特徴とする携帯型視聴装置。
【発明の詳細な説明】
【０００１】
【産業上の利用分野】
この発明は、地上波ディジタル放送によるテレビ視聴が行える他、携帯通話機能による通話が行える携帯型視聴装置に関する。
【０００２】
【従来の技術】
地上波を用いたディジタル放送では、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）と呼ばれる伝送方式が用いられる。このＯＦＤＭ伝送では、チャンネルごとに割り当てられた周波数帯を１３のセグメント（周波数帯域）に分割して使用し、それぞれ異なった変調方式（２次変調方式）を選択できる。当該放送波を受信するディジタル放送受信装置としては、家屋内に固定的に設置される固定設置型装置の他に、携帯機器に受信機能が付加されたものとしての利用を想定している。このため、単一の伝送路符号化での放送だけでなく、複数の異なる伝送路符号化を用いる階層伝送を行うことが考えられている。この階層伝送においては最大３つの階層が用いられ、所要Ｃ／Ｎ比が低い順に、強階層、中階層、弱階層が存在する。そして、携帯型装置向けには強階層放送が行われる。
【０００３】
そして、近年においては、携帯電話やＰＨＳ電話が広く普及しており、携帯可能な筐体内にこれら携帯通話機能と地上波ディジタル放送受信機能を搭載して携帯型視聴装置とすることが考えられる。
【０００４】
なお、従来装置としては、テレビ放送視聴中の電話着信の際、電話受信と番組録画制御を行うものがある（特許文献１参照）。
【０００５】
【特許文献１】
特開２００１−３３９６４８号
【０００６】
【発明が解決しようとする課題】
しかしながら、携帯電話やＰＨＳ電話は自己の位置を基地局に知らせるために無線による通信（位置登録処理）を行うようになっており、このために通話中でなくても電波を送出することになる。この電波はテレビ放送電波の周波数とは異なるものの、携帯通話機能ユニットと放送受信機能ユニットとは近接して存在することになるため、テレビ放送受信に障害を与えるおそれがある。
【０００７】
この発明は、上記の事情に鑑み、地上波ディジタル放送受信機能及び携帯通話機能を搭載した携帯型視聴装置において、携帯電話機能における位置登録の電波送出による放送受信障害を軽減することを目的とする。
【０００８】
【課題を解決するための手段】
この発明の携帯型視聴装置は、上記課題を解決するために、地上波ディジタル放送を受信して映像及び／又は音声を出力する放送受信手段と、電波を送受信することにより通話を行う携帯通話手段と、を備えた携帯型視聴装置において、前記地上波ディジタル放送におけるガードインターバルを前記携帯通話手段へ通知する手段を備え、前記携帯通話手段は前記通知に基づいてガードインターバル中に位置登録処理を実行するように構成されたことを特徴とする。
【０００９】
上記の構成であれば、ガードインターバル中に位置登録処理がなされるので、地上波ディジタル放送の受信障害は軽減される。位置登録処理による電波送出がノイズとなってガードインターバルの検出ができなかったとしても、同期を所定期間は保てるようになっているため、上記検出ができなかったことによる影響は少ない。
【００１０】
前記携帯通話手段は位置登録処理を行っているときに、そのことを前記放送受信手段に通知するように構成されているのがよい。これによれば、ガードインターバルにノイズが重畳していても位置登録処理によるノイズであるとの判断が可能になり、放送受信手段における地上波ディジタル放送の復調処理への影響を低減できる。
【００１１】
位置登録処理の所要時間がガードインターバルよりも長いこととなる場合、位置登録処理を複数のガードインターバルに渡って行うのがよい。
【００１２】
【発明の実施の形態】
以下、この発明の実施形態を図１乃至図６に基づいて説明する。
【００１３】
図１に示すように、携帯型視聴装置２は例えば、縦長で偏平な形状を有しており、電池により駆動される。携帯型視聴装置２は、地上波ディジタル放送を受信し、映像を液晶表示パネル２０２上に映し出すとともに、音声をイヤホンから出力する。また、スロット２０１に差し込まれたメモリカードから符号化映像・音声データを読み出し、映像を液晶表示パネル２０２上に映し出すとともに、音声をイヤホンから出力する。液晶表示パネル２０２上にはタッチパネル２１１が貼られており、タッチペン等によってパネル操作を行って所望の指示を与えることができる。なお、視聴に関する操作ボタン（プレイ／ポーズ、ストップ、送り、音量等）については、筐体部に設けている。
【００１４】
携帯型視聴装置２の回路構成を図２に基づいて詳しく説明していく。メモリカード３に格納されているＭＰＥＧ４ビットストリームデータ（符号化映像・音声データ）は、ＰＣＭＣＩＡインターフェイス２２０、及びシステムバス２１３を経てＭＰＥＧ４デコーダ２０４に供給される。また、内蔵メモリであるＳＤＲＡＭ２１９に格納されているＭＰＥＧ４ビットストリームデータは、システムバス２１３を経てＭＰＥＧ４デコーダ２０４に供給される。そして、地上波ディジタル放送を受信するチューナ２３０は、この地上波ディジタル放送で放送されるＭＰＥＧ４のビットストリームデータを取り出し、ＭＰＥＧ４デコーダ２０４に与えたり、メモリカード３やＳＤＲＡＭ２１９への記録のためにシステムバス２１３に供給したりする。ＭＰＥＧ４デコーダ２０４は、ビットストリームデータを復号して量子化係数や動きベクトルを求め、逆ＤＣＴ変換や動きベクトルに基づく動き補償制御などを行うことによって得た映像データをグラフィックスコントローラ２０５に供給する。グラフィックスコントローラ２０５は映像データ（例えば、Ｒ，Ｇ，Ｂデータ）に対して色調整等の処理を施す。また、グラフィックスコントローラ２０５は、ＣＰＵ２０９から出力指示された文字等（操作ボタン、メニュー画面、地上波ディジタル放送から取得した番組情報によるＥＰＧ画面等）を液晶表示パネル２０２に表示する処理も行う。オーディオデコーダ２０６は、ビットストリーム中の音声符号データをＭＰＥＧ４デコーダ２０４から受け取り、復号して音声データを生成する。ＳＤＲＡＭ２１０は、ＭＰＥＧ４デコーダ２０４の上記処理において利用される。
【００１５】
ＬＣＤコントローラ２０７は、グラフィックスコントローラ２０５から供給された映像データに基づいて液晶表示パネル２０２を駆動する。Ｄ／Ａ変換器２０８は、オーディオデコーダ２０６から出力された音声データを受け取ってＤ／Ａ変換を行い、右（Ｒ）音のアナログ信号および左（Ｌ）音のアナログ信号を生成してイヤホン２０３に与える。
【００１６】
タッチパネル２１１に対する操作情報は、専用インターフェイス２１２、及びシステムバス２１３を介してＣＰＵ２０９に与えられる。ＣＰＵ２０９は上記操作情報と液晶表示パネル２０２上の操作ボタン等の表示との対応によって指令内容を把握して必要な処理を実行する。
【００１７】
本体キー２１４は先述した視聴に関する操作ボタン（プレイ／ポーズ、ストップ、送り）等に相当する。この本体キー２１４に対する操作情報は、インターフェイス２１５、及びシステムバス２１３を介してＣＰＵ２０９に与えられる。ＣＰＵ２０９は上記操作情報に基づいて必要な処理を実行する。
【００１８】
また、無線ネットワークを可能にするために、通信ブロック２１６及びインターフェイス（例えば、Bluetooth （商標）など）２１７が設けられている。更に、ＦｌａｓｈＲＯＭ２１８やＳＤＲＡＭ２１９も備える。電池２２１は二次電池であり、図示しない据置型周辺装置から電力の供給を得てこれを蓄える。携帯電話部２３１は、通常の電話のために用いることとしている。
【００１９】
ＣＰＵ２０９は、無線ネットワークのための処理、スロット２０１にＰＨＳデータカード４が装着された場合のデータ送受信、受信データに基づく各機能部の制御、ＦｌａｓｈＲＯＭ２１８やＳＤＲＡＭ２１９のリード／ライト制御などを行うようになっている。
【００２０】
図３は地上波ディジタル放送を受信するチューナ２３０と携帯電話部２３１との関係を示した説明図である。チューナ２３０は周波数選択のためのチューナ部２３０ａと、選択した周波数のディジタル変調信号に対して復調を行うＯＦＤＭ復調部２３０ｂとから成る。また、携帯電話部２３１は高周波部２３１ａと、ベースバンド部２３１ｂとから成る。
【００２１】
前記ＯＦＤＭ復調部２３０ｂは、復調回路、逆インタリーブ回路、誤り訂正回路などを備えることにより、チューナ部２３０ａから出力されるディジタル変調信号を復調してトランスポート・ストリームを出力する。ＯＦＤＭ方式では、図４に示すように、シンボル期間の同期をとるため、シンボル期間の間にガードインターバルと呼ばれる期間を設けている。また、このガードインターバルを設けることによってマルチパスやフェージングなどに強い方式となり、移動体受信に適したものとなる。ガードインターバルは受信信号とこれを遅延させた信号との相関を判断することで検出できる。そして、ガードインターバル及び有効シンボルの期間は定まっているため、検出後において時間計測を行うことにより、チューナ２３０においては、ガードインターバルが間欠的にノイズなどで検出できなかったとしても、同期は保つことができ、また、ガードインターバル中を示す信号を出力すことができる。ＯＦＤＭ復調部２３０ｂは通知出力ポートを有し、この通知出力ポートにおいてガードインターバル時はＨｉｇｈ、シンボル期間はＬｏｗのごとく信号を出力する。また、通知入力ポートを有し、この通知入力ポートにおいてベースバンド部２３１ｂから通知（Ｈｉｇｈ，Ｌｏｗ）を受けるようになっている。
【００２２】
前記ベースバンド部２３１ｂは通話のためのプロトコル制御や位置登録のためのプロトコル制御を実行する。図５に位置登録のためのシーケンスを示す。ベースバンド部２３１ｂは通知入力ポートを有し、この通知入力ポートにおいてＯＦＤＭ復調部２３０ｂからＨｉｇｈ（ガードインターバルを示す）の信号を受けたとき、位置登録のためのシーケンスを実行する。また、ベースバンド部２３１ｂは通知出力ポートを有し、この通知出力ポートにおいて、位置登録のためのシーケンス実行時はＨｉｇｈ、それ以外はＬｏｗのごとく信号を出力する。この信号はＯＦＤＭ復調部２３０ｂの通知入力ポートに与えられる。
【００２３】
ＯＦＤＭ復調部２３０ｂは、ベースバンド部２３１ｂからＨｉｇｈ（位置登録シーケンス中）の信号を受けとることで、携帯電話部２３１において位置登録処理が行われていることを認識できる。従って、ガードインターバルにおいてノイズが検出されたとしても、位置登録処理によるノイズであるとの判断が可能になり、ＯＦＤＭ復調への影響を低減できる。
【００２４】
図６は携帯電話部２３１の処理内容を示したフローチャートである。携帯電話部２３１は基地局からの報知情報を受信する状態をとる（ステップＳ１）。そして、この報知情報に基づいてエリアが変わったかどうかを判断する（ステップＳ２）。エリアが変わった場合、チューナ２３０から送信許可があるかどうかを判断する（ステップＳ３）。すなわち、通知入力ポートにおいてＯＦＤＭ復調部２３０ｂからＨｉｇｈ（ガードインターバル）の信号を受けているかどうかを判断する。ガードインターバル中であれば（ステップＳ３でＹＥＳ）、チューナ２３０へ位置登録のための電波を送信することを伝える（ステップＳ４）。そして、位置登録処理を実行し（ステップＳ５）、位置登録処理が終了すればそのことをチューナ２３０へ伝える（ステップＳ６）。また、携帯型視聴装置における電源ＯＮ時には、ステップＳ３に進む。
【００２５】
ガードインターバルは、例えば有効シンボル長の１／４，１／８，１／１６，１／３２（７．８７５μｓ〜２５２μｓ）に設定され、この期間中に位置登録処理の全てを完了できない場合があると考えられる。このような場合、ベースバンド部２３１ｂは、位置登録処理を複数のガードインターバルに渡って行う。例えば、図４において、チャンネル起動パラメータ通知を基地局から受けたときがガードインターバルの終了間際であったりシンボル期間中であるような場合には、シンボル期間後の次のガードインターバルにおいて位置登録要求を出す（電波送出を行う）といった処理を行うことになる。
【００２６】
【発明の効果】
以上説明したように、この発明によれば、ガードインターバル中に携帯通話手段における位置登録処理がなされることになり、有効シンボル期間には携帯通話手段からの電波送出が行われない、或いは、有効シンボル期間内での電波送出の時間は短くなるから、地上波ディジタル放送の受信障害が軽減されるという効果を奏する。
【図面の簡単な説明】
【図１】この発明の実施形態の携帯型視聴装置を示した外観斜視図である。
【図２】この発明の実施形態の携帯型視聴装置のブロック図である。
【図３】この発明の実施形態の携帯型視聴装置において、地上波ディジタル放送を受信するチューナと携帯電話部との関係を示した説明図である。
【図４】ＯＦＤＭ変調波における有効シンボル期間とガードインターバルとの関係を示した説明図である。
【図５】携帯電話部における位置登録シーケンスを示した説明図である。
【図６】この発明の実施形態の携帯型視聴装置における位置登録処理を示したフローチャートである。
【符号の説明】
２        携帯型視聴装置
２０２    液晶表示パネル
２０４    ＭＰＥＧ４デコーダ
２１９    ＳＤＲＡＭ
２３０    地上波ディジタルチューナ
２３１    携帯電話部
３        メモリカード
４        ＰＨＳデータカード
【図１】
0003639571.tif 000002
【図２】
0003639571.tif 000003
【図３】
0003639571.tif 000004
【図４】
0003639571.tif 000005
【図５】
0003639571.tif 000006
【図６】
0003639571.tif 000007